(57)【特許請求の範囲】
【請求項１】
電動送風機を有するクリーナー本体と、各部屋に設け蓋体を有する差込口と、前記クリーナー本体と差込口とを連通する配管と、前記電動送風機のオン・オフおよび回転数を切り換える操作スイッチと塵埃を吸塵する吸込口とを有し前記差込口に連結可能な吸引部と、前記吸引部に設けられ予め個別の認識番号を記憶する記憶手段と、前記吸引部の内部に設けられた開閉弁とを備え、前記吸引部に内蔵した第１の通信手段と前記クリーナー本体に内蔵した第２の通信手段間で通信を行い各部の制御を行うようにし、前記吸引部が前記差込口に連結された直後に、前記第１の通信手段より前記第２の通信手段に予め定めた信号を送信し、前記クリーナー本体にて吸引部が連結されたことを判別するようにし、前記吸引部は差込口に連結された直後にクリーナー本体へ認識番号を送信し、この認識番号により複数の吸引部の連結された順番を判別するようにすると共に前記吸引部の認識番号とその吸引部が連結された順番をクリーナー本体から各吸引部に送信し、前記各吸引部も連結された順番を判別できるようにし、更に最初に差込口に連結された吸引部の開閉弁のみ開放し、２番目以降に連結された吸引部の開閉弁は閉じるようにしたセントラルクリーナー。
【発明の詳細な説明】
【０００１】
【発明の属する技術分野】
本発明は、複数箇所に設置した差込口に吸引部を差込み掃除できるセントラルクリーナーに関するものである。
【０００２】
【従来の技術】
従来、この種のセントラルクリーナーは図６および図７に示すように構成していた。以下、その構成について説明する。
【０００３】
図６および図７に示すように、クリーナー本体２は電動送風機１を有し、このクリーナー本体２と複数箇所の各部屋に設けた差込口４とを配管３で連通している。ホースと接続管からなる吸引部６は、電動送風機１のオン・オフおよび回転数を切り換える操作スイッチ５を設けている。
【０００４】
この吸引部６はその一端に差込口４と連結する連結部７を有し、他端に設けた塵埃を吸塵するための吸込口８と電動送風機１とを連通するように構成し、さらに差込口４は蓋体９を有し、吸引部６が連結されていないときには蓋体９を閉じることにより、１本の吸引部６しか連結されていないとき、配管３の吸気通路が１通路となるよう構成し、吸引部６に内蔵した第１の通信手段２０とクリーナー本体２に内蔵した第２の通信手段１７間で、アンテナ１８、１９を介して無線による双方向通信を行い、各部の制御を行うよう構成している。
【０００５】
電源回路１１は、クリーナー本体２内に設け、商用電源１０から各回路に所望の直流電圧を供給する。モータ駆動回路１３は信号制御手段１２により制御され、商用電源１０に接続された電動送風機１を所定の回転数で駆動するよう構成している。
【０００６】
また、吸引部６は、差込口４に供給されている商用電源１０と接続する接続端子１４を有し、連結部７を差込口４に連結することで電源回路２１を経て、各回路に所望の直流電圧を供給するよう構成している。信号制御手段２２に使用者が電動送風機１のオン・オフおよび回転数を切り換える操作スイッチ５を接続している。
【０００７】
上記構成において動作を説明する。吸引部６は差込口４に連結されることによって、接続端子１４を通して電源が供給され、さらに、操作スイッチ５が操作されたときにクリーナー本体２に第１の通信手段２０と第２の通信手段１７とを介して運転データを送信する。
【０００８】
また、２つ以上の吸引部６が差込口４に連結されており、かつ２つ以上の吸引部６の操作スイッチ５が操作された場合には、クリーナー本体２は「２つ以上の吸引部６が連結されている（以降、この状態を「２本差し」という）」ことを判別できるが、クリーナー本体２が「２本差し」を判別した場合、使用者に異常状態であることを知らせるために、直ちに電動送風機１を停止するか、または１番目に連結された吸引部６から送信される運転データにのみ従って電動送風機１の制御を行う。
【０００９】
【発明が解決しようとする課題】
このような従来の構成では、２つ以上の吸引部６が差込口４に連結されていても、２つ以上の吸引部６の操作スイッチ５が操作されない限り、クリーナー本体２は「２本差し」を判別することができず、「２本差し」に応じた制御を行うことができなかった。
【００１０】
たとえば、１番目に連結した吸引部６が使用されないまま放置されていた場合、別の差込口４に別の吸引部６を連結して運転を開始した場合、クリーナー本体２は「２本差し」を判別することができない。
【００１１】
さらに、「２本差し」のときには、吸気通路が２つ以上になるために、電動送風機１をそのまま動かしつづけると、各吸引部６の吸気通路に流れる風量が低下し、十分な吸引力が得られなくなってしまい、配管３にごみが詰まってしまう恐れがある。
【００１２】
また、上記問題を解決するために、「２本差し」のときに電動送風機１を停止すると、使用者、特に最初に吸引部６の操作スイッチ５を操作した者に対して違和感を与えることになってしまうなどの問題を有していた。
【００１３】
本発明は上記従来の課題を解決するもので、２つ以上の吸引部が差込口に連結されている「２本差し」状態を確実に判別できるようにし、「２本差し」時の不具合の改善をして「２本差し」時の使用性を向上することを目的としている。
【００１４】
【課題を解決するための手段】
本発明は上記目的を達成するために、電動送風機を有するクリーナー本体と各部屋に設け蓋体を有する差込口とを配管により連通し、電動送風機のオン・オフおよび回転数を切り換える操作スイッチと塵埃を吸塵する吸込口とを有する吸引部と、前記吸引部に設けられ予め個別の認識番号を記憶する記憶手段と、前記吸引部の内部に設けられた開閉弁とを備え、吸引部に内蔵した第１の通信手段とクリーナー本体に内蔵した第２の通信手段間で通信を行い各部の制御を行うようにし、吸引部が差込口に連結された直後に、第１の通信手段より第２の通信手段に予め定めた信号を送信し、クリーナー本体にて吸引部が連結されたことを判別するようにし、前記吸引部は差込口に連結された直後にクリーナー本体へ認識番号を送信し、この認識番号により複数の吸引部の連結された順番を判別するようにすると共に前記吸引部の認識番号とその吸引部が連結された順番をクリーナー本体から各吸引部に送信し、前記各吸引部も連結された順番を判別できるようにし、更に最初に差込口に連結された吸引部の開閉弁のみ開放し、２番目以降に連結された吸引部の開閉弁は閉じるようにしたものである。
【００１５】
これにより、２つ以上の吸引部が差込口に連結されている「２本差し」状態を確実に判別することができ、「２本差し」時の不具合の改善ができて「２本差し」時の使用性を向上することができる。
【００１６】
【発明の実施の形態】
本発明の請求項１に記載の発明は、電動送風機を有するクリーナー本体と、各部屋に設け蓋体を有する差込口と、前記クリーナー本体と差込口とを連通する配管と、前記電動送風機のオン・オフおよび回転数を切り換える操作スイッチと塵埃を吸塵する吸込口とを有し前記差込口に連結可能な吸引部と、前記吸引部に設けられ予め個別の認識番号を記憶する記憶手段と、前記吸引部の内部に設けられた開閉弁とを備え、前記吸引部に内蔵した第１の通信手段と前記クリーナー本体に内蔵した第２の通信手段間で通信を行い各部の制御を行うようにし、前記吸引部が前記差込口に連結された直後に、前記第１の通信手段より前記第２の通信手段に予め定めた信号を送信し、前記クリーナー本体にて吸引部が連結されたことを判別するようにし、前記吸引部は差込口に連結された直後にクリーナー本体へ認識番号を送信し、この認識番号により複数の吸引部の連結された順番を判別するようにすると共に前記吸引部の認識番号とその吸引部が連結された順番をクリーナー本体から各吸引部に送信し、前記各吸引部も連結された順番を判別できるようにし、更に最初に差込口に連結された吸引部の開閉弁のみ開放し、２番目以降に連結された吸引部の開閉弁は閉じるようにしたものであり、吸引部は差込口に連結された直後に、クリーナー本体へ予め定めた信号を送信することで、吸引部が連結されたことを知らせることができ、クリーナー本体にて２つ以上の吸引部が差込口に連結されている「２本差し」状態を確実に判別することができ、「２本差し」時の不具合の改善ができて「２本差し」時の使用性を向上することができる。
【００１７】
また、吸引部は差込口に連結された直後にクリーナー本体へ認識番号を送信することで、複数の吸引部が差込口に連結された場合であっても、クリーナー本体は吸引部の連結された順番を認識することができ、クリーナー本体が吸引部から操作情報を受信したときに、その吸引部が連結された順番に応じて制御を変えることができ、２つ以上の吸引部が差込口に連結されている「２本差し」時の使用性を向上することができる。
【００１８】
また、吸引部も２つ以上の吸引部が差込口に連結されている「２本差し」に応じた制御を行えるようになり、さらに「２本差し」時の使用性を向上することができる。
【００１９】
また、２つ以上の吸引部が差込口に連結されている「２本差し」時の吸引力低下を確実に防止することができる。
【００２０】
【実施例】
以下、本発明の実施例について、図面を参照しながら説明する。なお、従来例と同じ構成のものは同一符号を付して説明を省略する。
【００２１】
（実施例１）
図１および図２に示すように、ホースと接続管からなる吸引部２５は、その一端に差込口２６と連結する連結部７を有し、他端に設けた塵埃を吸塵するための吸込口８と電動送風機１とを連通するように構成し、差込口２６に供給されている商用電源１０と接続する接続端子１４を有し、連結部７を差込口２６に連結することで電源回路２１を経て、各回路に所望の直流電圧を供給するよう構成している。
【００２２】
信号制御手段２７には吸引部２５の認識番号を記憶する記憶手段１５と表示手段１６と、使用者が電動送風機１のオン・オフおよび回転数を切り換える操作スイッチ５を接続している。開閉弁２３は吸引部２５の内部に設け、その吸気通路（図示せず）を開閉するもので、信号制御手段２７に接続した開閉弁駆動回路２４により開閉するよう構成している。
【００２３】
差込口２６は、差込口２６の差込口番号を記憶している記憶手段２８を内蔵しており、吸引部２５を連結したときに、信号制御手段２７と接続するよう構成している。他の構成は従来例と同じである。
【００２４】
上記構成において図３および図４を参照しながら動作を説明する。図３は吸引部２５の動作を示すフローチャートであり、図４はクリーナー本体２の動作を示すフローチャートである。
【００２５】
図３に示すように、吸引部２５は、差込口２６に連結されて電源が投入されると、ステップ３０にて記憶手段１５から吸引部２５の認識番号を読み込み、さらに差込口２６の記憶手段２８から差込口２６の差込口番号を読み込む。つぎにステップ３１にて第１の通信手段２０より、これら認識番号と差込口番号をクリーナー本体２に送信する。
【００２６】
クリーナー本体２は、図４に示すように、ステップ４１にて吸引部２５からの認識番号と差込口番号を受信すると、ステップ４２にてその吸引部２５が新たに差込口２６に連結された吸引部２５であるかを判定し、新たに連結された吸引部２５であれば、ステップ４３にてその認識番号と差込口番号、およびその吸引部２５が差込口２６に連結された順番を記憶する。
【００２７】
たとえば、すでに２本の吸引部２５が差込口２６に連結されているときに、その２本の吸引部２５の認識番号と異なる認識番号を受信した場合、その認識番号をもつ吸引部２５は３番目に差込口２６に連結されたと認識する。その後、ステップ４４にて、その差込順データを差込口２６に連結されているすべての吸引部２５に送信する。
【００２８】
つぎに、吸引部２５は、図３のステップ３２にてクリーナー本体２からのデータを受信すると、ステップ３３にて、その内容、すなわち、認識番号何番の吸引部２５が何番の差込口２６に何番目に連結されたかを表示手段１６に表示する。
【００２９】
また、ステップ３４にて、その受信データにより、自分が一番最初に連結された吸引部２５であると認識した場合、ステップ３５にて信号制御手段２７から開閉弁駆動回路２４に信号を送信して開閉弁２３を開く。一番目に連結された以外の吸引部２５は、ステップ３６で開閉弁２３を閉じてその吸気通路を塞ぐ。なお、ステップ３２にてクリーナー本体２からのデータを受信しなかった場合は、ステップ３１に戻り、認識番号と差込口番号を送信してクリーナー本体２からの受信を待つ。
【００３０】
これら一連の初期動作を終了した後、ステップ３７にて操作スイッチ５が操作されると、一番最初に差込口２６に差込まれた吸引部２５はステップ３８にて第１の通信手段２０を介して前記クリーナー本体２に運転開始の信号を送信する。ここで、一番最初に差込口２６に差込まれた以外の吸引部２５はなにも制御を行わない。
【００３１】
つぎに、クリーナー本体２は、図４のステップ４５にて運転データを受信すると、ステップ４６にて受信した運転情報に従ってモータ駆動回路１３に信号を送信して電動送風機１を制御する。
【００３２】
吸引部２５は、図３のステップ３１にて、定期的にクリーナー本体２の認識番号を送信しており、クリーナー本体２は、ステップ４７にて認識番号を所定時間以上受信しなかった場合は、ステップ４８にてその認識番号をもつ吸引部２５が差込口２６から抜かれたと判断し、記憶している差込順を更新（繰り上げ）する。
【００３３】
たとえば、４本の吸引部２５が差込口２６に連結されているとき、２番目に連結された吸引部２５から所定時間以上受信しなかった場合、２番目に連結された吸引部２５が差込口２６から抜かれたと判断し、３番目に連結された吸引部２５を２番目に、４番目に連結された吸引部２５を３番目とする。
【００３４】
また、クリーナー本体２からも、図４のステップ４４にて、定期的に吸い込み具２５に差込順データを送信している。
【００３５】
このように、吸引部２５は差込口２６に連結された直後に、クリーナー本体２へその認識番号を送信することで、「吸引部２５が連結された」ことを知らせるので、クリーナー本体２が「２本差し」の判別を確実に行うことができる。
【００３６】
また、吸引部２５の差込まれた順番をクリーナー本体２から吸引部２５に送信することで、各吸引部２５もそれぞれが連結された順番を認識することができ、表示手段１６に自分が何番目に差込口２６に連結された吸引部２５であるかを表示するので、使用者に「２本差し」であることを認識させ、対応を促すことができる。
【００３７】
また、吸引部２５が差し込まれている差込口２６の番号をクリーナー本体２に送信するので、「２本差し」のときに、使用者に他の吸引部２５がどこに連結されているのかを報知することができ、使用者の「２本差し」対応が容易になる。
【００３８】
また、複数の吸引部２５が連結されている場合には、一番最初に連結された吸引部２５以外の操作スイッチ５を操作しても、吸引部２５は運転データを送信しない、つまり電動送風機１の回転数は変化しないので、「２本差し」時に１番目の吸引部２５の使用者に違和感を与えることがない。
【００３９】
また、吸引部２５の内部の吸気通路に開閉弁２３を設け、一番最初に連結された吸引部２５の開閉弁２３のみ開放し、２番目以降に連結された吸引部２５の開閉弁２３は閉じるので、「２本差し」時でも一番最初に連結された吸引部２５の吸引力低下を確実に防止できる。
【００４０】
（実施例２）
図１に示す信号制御手段１２は、電動送風機１の出力を制御可能に構成し、２本以上の吸引部２５が差込口２６に連結されていると認識した場合は、モータ駆動回路１３を介して電動送風機１の出力を上げるように構成している。他の構成は上記実施例１と同じである。
【００４１】
上記構成において、２本以上の吸引部２５が差込口２６に連結されているときには、電動送風機１の出力を上げるので、「２本差し」時の吸引力低下をある程度防止できる構成を安価に実現することができる。
【００４２】
（実施例３）
図５に示すように、蓋体制御回路２９は、差込口２６ａに設け、差込口２６ａに設けた蓋体９（図２参照）を閉じた状態にロックするもので、クリーナー本体２ａは、信号制御手段１２ａにより差込口２６ａに吸引部２５を連結したことを判別すると、吸引部２５が連結されていないすべての差込口２６ａの蓋体９を開かないようロックするように構成している。他の構成は上記実施例１と同じである。
【００４３】
上記構成において、クリーナー本体２ａは、２本以上の吸引部２５が連結されたと判別すると、吸引部２５が連結された差込口２６ａ以外の蓋体９を開くことができないようロックすることで、２つ以上の吸引部２５が差込口２６ａに連結される「２本差し」を未然に防止することができる。
【００４４】
【発明の効果】
以上のように本発明によれば、吸引部は差込口に連結された直後に、クリーナー本体へ予め定めた信号を送信することで、吸引部が連結されたことを知らせることができ、クリーナー本体にて２つ以上の吸引部が差込口に連結されている「２本差し」状態を確実に判別することができ、「２本差し」時の不具合の改善ができて「２本差し」時の使用性を向上することができる。
【００４５】
また、複数の吸引部が差込口に連結された場合であっても、クリーナー本体は吸引部の連結された順番を認識することができ、クリーナー本体が吸引部から操作情報を受信したときに、その吸引部が連結された順番に応じて制御を変えることができ、２つ以上の吸引部が差込口に連結されている「２本差し」時の使用性を向上することができる。
【００４６】
また、各吸引部もそれぞれが連結された順番を認識することができ、吸引部も２つ以上の吸引部が差込口に連結されている「２本差し」に応じた制御を行えるようになり、さらに「２本差し」時の使用性を向上することができる。
【００４７】
また、２つ以上の吸引部が差込口に連結されている「２本差し」時の吸引力低下を確実に防止することができる。
【図面の簡単な説明】
【図１】  本発明の第１の実施例のセントラルクリーナーのブロック回路図
【図２】  同セントラルクリーナーの斜視図
【図３】  同セントラルクリーナーの吸引部の動作フローチャート
【図４】  同セントラルクリーナーのクリーナー本体の動作フローチャート
【図５】  本発明の第３の実施例のセントラルクリーナーのクリーナー本体のブロック回路図
【図６】  従来のセントラルクリーナーの斜視図
【図７】  同セントラルクリーナーのブロック回路図
【符号の説明】
１  電動送風機
２  クリーナー本体
３  配管
５  操作スイッチ
８  吸込口
１７  第２の通信手段
２０  第１の通信手段
２５  吸引部
２６  差込口
【図１】
0003767467.tif 000002
【図２】
0003767467.tif 000003
【図３】
0003767467.tif 000004
【図４】
0003767467.tif 000005
【図５】
0003767467.tif 000006
【図６】
0003767467.tif 000007
【図７】
0003767467.tif 000008